(57)【要約】  タイヤ径方向ｔｒｄにおいて、ビードフィラ外側端５５ａ及びカーカス外側端４５ａは、リムフランジ頂点２１５よりも内側に位置する。タイヤ径方向ｔｒｄにおいて、ゴムチェーファ外側端７５ａは、リムフランジ頂点２１５よりも外側に位置する。軟質ゴム部材６０は、カーカス外側端４５ａとゴムチェーファ７０との間に配置される。軟質ゴム部材６０の硬度は、ビードフィラ５０の硬度及びゴムチェーファ７０の硬度よりも低い。
2013137340.tif 000002
【特許請求の範囲】
【請求項１】
１対のビードコアと、前記１対のビードコア間に跨るトロイダル形状を有するカーカス層と、前記ビードコアからタイヤ径方向に延びるビードフィラと、リムフランジに接するゴムチェーファと、を備え、
前記カーカス層は、前記１対のビードコア間に跨るカーカス本体部分と、前記１対のビードコアでトレッド幅方向の外側に折り返されるカーカス折返し部分とを含むタイヤであって、
前記カーカス折返し部分は、前記タイヤ径方向における外側の端部であるカーカス外側端を含み、
ビードフィラは、前記タイヤ径方向における外側の端部であるビードフィラ外側端を含み、
前記ゴムチェーファは、前記タイヤ径方向における外側の端部であるゴムチェーファ外側端を含み、
前記リムフランジは、前記タイヤ径方向において、最も外側の位置にあるリムフランジ頂点を含み、
前記タイヤ径方向において、前記ビードフィラ外側端及び前記カーカス外側端は、前記リムフランジ頂点よりも、内側に位置し、
前記タイヤ径方向において、前記ゴムチェーファ外側端は、前記リムフランジ頂点よりも、外側に位置し、
前記カーカス外側端と前記ゴムチェーファとの間には、軟質ゴム部材が配置され、
前記軟質ゴム部材の硬度は、前記ビードフィラの硬度及び前記ゴムチェーファの硬度よりも低いタイヤ。
【請求項２】
前記軟質ゴム部材は、前記タイヤ径方向における前記ビードフィラの外側の端部と前記リムフランジ頂点との間に存在していることを特徴とする請求項１に記載のタイヤ。
【請求項３】
前記軟質ゴム部材の１００％モジュラスは、前記ゴムチェーファの１００％モジュラスの１／３以下である請求項１又は２に記載のタイヤ。
【請求項４】
前記タイヤ径方向における前記軟質ゴム部材の外側の端部は、前記リムフランジ頂点よりも、前記タイヤ径方向において内側に位置し、
前記タイヤ径方向における前記軟質ゴム部材の内側の端部は、前記タイヤ径方向における前記ビードフィラの外側の端部よりも、前記タイヤ径方向において外側に位置する請求項１乃至３に記載のタイヤ。
【請求項５】
前記タイヤの側面を形成するサイドウォール部を備え、
前記トレッド幅方向におけるタイヤ最大幅位置において、前記サイドウォール部の厚みは、２．５ｍｍ以下である請求項１から４の何れか１項に記載のタイヤ。
【発明の詳細な説明】
【技術分野】
【０００１】
本発明は、１対のビードコアと、１対のビードコア間に跨るトロイダル形状を有するカーカス層とを備えるタイヤに関する。
【背景技術】
【０００２】
従来、１対のビードコアと、前記ビードコアからタイヤ径方向に延びるビードフィラと、前記１対のビードコア間に跨るトロイダル形状を有するカーカス層と、リムフランジに接するゴムチェーファと、を備えるタイヤが知られている（例えば、特許文献１参照）。【０００３】
近年、環境に対する配慮の高まりから、タイヤに使用される部材の量を減らす、いわゆる省資源化が求められている。これにより、原料の消費を抑えられることはもちろん、タイヤの重量が減るため、転がり抵抗を小さくすることができる。【０００４】
省資源化のために、タイヤ径方向におけるビードフィラの長さを短くしたり、カーカス層がビードコアで折り返される長さを短くしたりしたタイヤがある。このようなタイヤでは、省資源化を図れるものの、タイヤとリムフランジとが接触する部分よりもタイヤ径方向において外側の部分の強度が低下してしまう。このため、カーカス層を構成するカーカスコードが切れやすくなり、いわゆるピンチカットが発生しやすくなる。【０００５】
タイヤとリムフランジとが接触する部分よりもタイヤ径方向において外側にまで、ゴムチェーファを配置する。これにより、ビード部の強度を補い、ピンチカットの発生を抑制できる。【０００６】
しかしながら、タイヤとリムフランジとが接触する部分よりも外側にまで、ゴムチェーファを配置しても、ピンチカットの発生を充分抑制できるとはいえず、さらなる改善が求められていた。【０００７】
また、カーカス層がビードコアで折り返される長さを短くすることによって、カーカス層の端部が、タイヤとリムフランジとが接触する部分に配置される。タイヤとリムフランジとの接触する部分は、歪みが集中しやすいため、カーカス層の端部を起点として剥離を生じやすくなっていた。
【先行技術文献】
【特許文献】
【０００８】
【特許文献１】特開２００８−２８５０１０号公報
【発明の概要】
【０００９】
上述した課題を解決するため、本発明は、次のような特徴を有している。本発明の特徴は、１対のビードコアと、前記１対のビードコア間に跨るトロイダル形状を有するカーカス層と、前記ビードコアからタイヤ径方向に延びるビードフィラと、リムフランジに接するゴムチェーファと、を備え、前記カーカス層は、前記１対のビードコア間に跨るカーカス本体部分と、前記１対のビードコアでトレッド幅方向の外側に折り返されるカーカス折返し部分とを含むタイヤであって、前記カーカス折返し部分は、前記タイヤ径方向における外側の端部であるカーカス外側端を含み、ビードフィラは、前記タイヤ径方向における外側の端部であるビードフィラ外側端を含み、前記ゴムチェーファは、前記タイヤ径方向における外側の端部であるゴムチェーファ外側端を含み、前記リムフランジは、前記タイヤ径方向において、最も外側の位置にあるリムフランジ頂点を含み、前記タイヤ径方向において、前記ビードフィラ外側端及び前記カーカス外側端は、前記リムフランジ頂点よりも、内側に位置し、前記タイヤ径方向において、前記ゴムチェーファ外側端は、前記リムフランジ頂点よりも、外側に位置し、前記カーカス外側端と前記ゴムチェーファとの間には、軟質ゴム部材が配置され、前記軟質ゴム部材の硬度は、前記ビードフィラの硬度及び前記ゴムチェーファの硬度よりも低いことを要旨とする。
【００１０】
前記軟質ゴム部材は、前記タイヤ径方向における前記ビードフィラの外側の端部と前記リムフランジ頂点との間に存在していてもよい。
【００１１】
前記軟質ゴム部材の１００％モジュラスは、前記ゴムチェーファの１００％モジュラスの１／３以下であってもよい。
【００１２】
前記タイヤ径方向における前記軟質ゴム部材の外側の端部は、前記リムフランジ頂点よりも、前記タイヤ径方向において内側に位置し、前記タイヤ径方向における前記軟質ゴム部材の内側の端部は、前記タイヤ径方向における前記ビードフィラの外側の端部よりも、前記タイヤ径方向において外側に位置してもよい。
【００１３】
前記タイヤは、前記タイヤの側面を形成するサイドウォール部を備え、前記トレッド幅方向におけるタイヤ最大幅位置において、前記サイドウォール部の厚みは、２．５ｍｍ以下であってもよい。
【図面の簡単な説明】
【００１４】
【図１】図１は、本実施形態に係るタイヤ１のタイヤ径方向ｔｒｄ及びトレッド幅方向ｔｗｄに沿った断面図である。
【図２】図２は、図１におけるビード部３の拡大図である。
【図３】図３は、タイヤ１が縁石５００に乗り上げたとき状態を表す説明図である。
【図４】図４は、比較例１に係るタイヤのタイヤ径方向ｔｒｄ及びトレッド幅方向ｔｗｄに沿った断面図である。
【図５】図５は、比較例２に係るタイヤのタイヤ径方向ｔｒｄ及びトレッド幅方向ｔｗｄに沿った断面図である。
【発明を実施するための形態】
【００１５】
本発明に係るタイヤの一例について、図面を参照しながら説明する。具体的には、（１）タイヤ１の概略構成、（２）作用効果、（３）比較評価、（４）その他実施形態、について説明する。
【００１６】
以下の図面の記載において、同一または類似の部分には、同一又は類似の符号を付している。図面は模式的なのものであり、各寸法の比率などは現実のものとは異なることを留意すべきである。従って、具体的な寸法などは以下の説明を参酌して判断すべきものである。図面相互間においても互いの寸法の関係や比率が異なる部分が含まれていることは勿論である。
【００１７】
（１）タイヤ１の概略構成
本実施形態に係るタイヤ１の概略構成について、図１及び図２を参照しながら説明する。図１は、本実施形態に係るタイヤ１のタイヤ径方向ｔｒｄ及びトレッド幅方向ｔｗｄに沿った断面図である。図２は、図１におけるビード部３の拡大図である。
【００１８】
タイヤ１は、正規リムであるリム２００に組み付けられている。タイヤ１は、正規内圧を有し、正規荷重が負荷されている。なお、リム２００には、リムフランジ２１０が設けられる。リムフランジ２１０は、トレッド幅方向ｔｗｄにおいて、ビード部３を支持する。リムフランジ２１０は、タイヤ径方向ｔｒｄにおいて、最も外側の位置にあるリムフランジ頂点２１５を含む。
【００１９】
なお、「正規リム」とは、ＪＡＴＭＡ（日本自動車タイヤ協会）のＹｅａｒ  Ｂｏｏｋ２００８年度版に定められた適用サイズにおける標準リムを指す。日本以外では、後述する規格に記載されている適用サイズにおける標準リムを指す。
【００２０】
「正規内圧」とは、ＪＡＴＭＡ（日本自動車タイヤ協会）のＹｅａｒ  Ｂｏｏｋ２００８年度版のタイヤの測定方法で規定された（0-3頁、５項）空気圧である。日本以外では、「正規内圧」とは、後述する規格に記載されているタイヤ寸法測定時の空気圧に対応する空気圧である。
【００２１】
「正規荷重」とは、ＪＡＴＭＡ（日本自動車タイヤ協会）のＹｅａｒ  Ｂｏｏｋ２００８年度版の単輪を適用した場合の最大負荷能力に相当する荷重である。日本以外では、「正規荷重」とは、後述する規格に記載されている適用サイズにおける単輪の最大荷重（最大負荷能力）のことである。
【００２２】
規格は、タイヤが生産又は使用される地域に有効な産業規格によって決められている。例えば、アメリカ合衆国では、”Ｔｈｅ  Ｔｉｒｅ  ａｎｄ  Ｒｉｍ  Ａｓｓｏｃｉａｔｉｏｎ  Ｉｎｃ．  のＹｅａｒ  Ｂｏｏｋ  ”であり、欧州では”Ｔｈｅ  Ｅｕｒｏｐｅａｎ  Ｔｉｒｅ  ａｎｄ  Ｒｉｍ  Ｔｅｃｈｎｉｃａｌ  ＯｒｇａｎｉｚａｔｉｏｎのＳｔａｎｄａｒｄｓ  Ｍａｎｕａｌ”である。
【００２３】
図１に示されるように、タイヤ１は、ビード部３、トレッド部５、サイドウォール部７を備える。
【００２４】
ビード部３は、ビードコア１０を有する。ビード部３は、リム２００に接する。トレッド部５は、路面と接するトレッド面を有する。サイドウォール部７は、タイヤ１の側面を形成する。サイドウォール部７は、ビード部３とトレッド部５とをつなぐ。トレッド幅方向ｔｗｄにおける最大幅は、タイヤ最大幅ＴＷである。タイヤ最大幅ＴＷは、サイドウォール部７に位置する。タイヤ最大幅ＴＷ位置において、サイドウォール部７の厚みは、２．５ｍｍ以下であることが好ましい。
【００２５】
タイヤ１は、１対のビードコア１０、カーカス層２０、ビードフィラ５０、軟質ゴム部材６０、及び、ゴムチェーファ７０を備える。
【００２６】
ビードコア１０は、ビード部３に設けられる。ビードコア１０は、ビードワイヤー（不図示）によって構成される。タイヤ径方向ｔｒｄにおけるビードコア１０の外側の端部は、ビードフィラ５０と接する。
【００２７】
カーカス層２０は、タイヤ１の骨格をなすものである。カーカス層２０の位置は、トレッド部５からサイドウォール部７を通ってビード部３に渡る。
【００２８】
カーカス層２０は、１対のビードコア１０間に跨るトロイダル形状を有する。カーカス層２０は、本実施形態において、ビードコア１０及びビードフィラ５０を包む。カーカス層２０は、ビードコア１０及びビードフィラ５０と接する。カーカス層２０は、カーカス本体部分３０とカーカス折返し部分４０とを含む。
【００２９】
カーカス本体部分３０は、１対のビードコア１０間に跨る。従って、カーカス本体部分３０の位置は、トレッド部５からサイドウォール部７を通ってビード部３に渡る。カーカス折返し部分４０は、１対のビードコア１０でトレッド幅方向ｔｗｄの外側に折り返される。カーカス折返し部分４０は、タイヤ径方向ｔｒｄにおける外側の端部であるカーカス外側端４５ａを含む。カーカス外側端４５ａは、カーカス本体部分３０と接する。
【００３０】
ビードフィラ５０は、ビード部３の剛性を高める。ビードフィラ５０は、ビードコア１０からタイヤ径方向ｔｒｄに延びる。ビードフィラ５０は、カーカス本体部分３０とカーカス折返し部分４０との間に設けられる。ビードフィラ５０は、タイヤ径方向ｔｒｄにおいてビードコア１０の外側に設けられる。ビードフィラ５０は、タイヤ径方向ｔｒｄにおける外側の端部であるビードフィラ外側端５５ａを含む。ビードフィラ５０は、ビードフィラ外側端５５ａに向かうにつれ、ビードフィラ５０の厚みが薄くなる。
【００３１】
軟質ゴム部材６０は、カーカス外側端４５ａとゴムチェーファ７０との間に配置される。従って、軟質ゴム部材６０は、トレッド幅方向ｔｗｄにおいて、カーカス外側端４５ａと重なる。軟質ゴム部材６０は、カーカス外側端４５ａ及びゴムチェーファ７０と接する。
【００３２】
軟質ゴム部材６０は、タイヤ径方向ｔｒｄにおける外側の端部である軟質ゴム外側端６５ａと、タイヤ径方向ｔｒｄにおける内側の端部である軟質ゴム内側端６５ｂとを含む。
【００３３】
軟質ゴム部材６０の硬度は、ビードフィラ５０の硬度及びゴムチェーファ７０の硬度よりも低い。硬度は、１００％モジュラスを用いて比較することができる。「１００％モジュラス」とは、ゴムを１００％伸ばした場合における引張応力である。軟質ゴム部材６０の１００％モジュラスは、ゴムチェーファ７０の１００％モジュラスの１／３以下であることが好ましい。
【００３４】
ゴムチェーファ７０は、ビード部３の剛性を高める。ゴムチェーファ７０は、走行時におけるタイヤとリムフランジとの擦れによる摩耗を軽減させる。ゴムチェーファ７０は、リムフランジ２１０に接する。ゴムチェーファ７０は、トレッド幅方向ｔｗｄにおいてカーカス層２０及び軟質ゴム部材６０の外側に設けられる。ゴムチェーファ７０は、タイヤ１の外側表面に露出する。すなわち、ゴムチェーファ７０は、トレッド幅方向ｔｗｄにおいて、ビード部３の最も外側に位置する。ゴムチェーファ７０には、リムラインが形成される。ゴムチェーファ７０は、タイヤ径方向ｔｒｄにおける外側の端部であるゴムチェーファ外側端７５ａを含む。ゴムチェーファ外側端７５ａは、カーカス本体部分３０に接する。
【００３５】
タイヤ径方向ｔｒｄにおいて、ビードフィラ外側端５５ａ及びカーカス外側端４５ａは、リムフランジ頂点２１５よりも、内側に位置する。タイヤ径方向ｔｒｄにおいて、ゴムチェーファ外側端７５ａは、リムフランジ頂点２１５よりも、外側に位置する。
【００３６】
タイヤ径方向ｔｒｄにおいて、カーカス外側端４５ａは、軟質ゴム外側端６５ａよりも内側に位置し、軟質ゴム内側端６５ｂよりも外側に位置する。
【００３７】
本実施形態において、タイヤ径方向ｔｒｄにおいて、軟質ゴム外側端６５ａは、リムフランジ頂点２１５よりも、内側に位置することが好ましい。また、タイヤ径方向ｔｒｄにおいて、軟質ゴム内側端６５ｂは、ビードフィラ外側端５５ａよりも、タイヤ径方向ｔｒｄにおいて外側に位置することが好ましい。
【００３８】
上述したように、軟質ゴム外側端６５ａは、タイヤ径方向ｔｒｄにおいて、リムフランジ頂点２１５よりも内側に位置しており、ビードフィラ外側端５５ａよりも外側に位置することが好ましい。ここで、軟質ゴム部材６０は、ビードフィラ外側端５５ａとリムフランジ頂点２１５との間に存在していることが好ましい。詳細には、軟質ゴム部材６０は、ビードフィラ外側端５５ａ及びリムフランジ頂点２１５を結ぶ線と交差することが好ましい。
【００３９】
このように、軟質ゴム部材６０は、ビードフィラ外側端５５ａとリムフランジ頂点２１５との間に存在することによって、ビードフィラ外側端５５ａが歪む場合であっても、軟質ゴム部材６０によって応力の集中を抑制することができる。
【００４０】
また、軟質ゴム部材６０は、ビードフィラ５０に沿って配置されてもよい。これによって、ビードフィラ外側端５５ａの歪みをさらに抑制することができ、軟質ゴム部材６０によって応力の集中を抑制することができる。
【００４１】
（２）作用効果
本実施形態に係る作用効果について、図３を参照しながら説明する。図３は、タイヤ１が縁石５００に乗り上げたとき状態を表す説明図である。
【００４２】
図３に示されるように、タイヤ１が縁石５００に乗り上げた場合、段差の分だけサイドウォール部７が湾曲する。その後、サイドウォール部７の弾性により、サイドウォール部７が元の形状に戻ろうとする。その際、ビード部３とリムフランジ２１０との接触部分からタイヤ径方向ｔｒｄにおいて外側の部分までの領域Ｒに歪みが集中しやすい。
【００４３】
本実施形態によれば、タイヤ径方向ｔｒｄにおいて、ゴムチェーファ外側端７５ａは、リムフランジ頂点２１５よりも、外側に位置する。これにより、領域Ｒに生じる歪みを抑制することができる。その結果、ピンチカットの発生を抑制することができる。
【００４４】
さらに、軟質ゴム部材６０は、カーカス外側端４５ａとゴムチェーファ７０との間に配置され、軟質ゴム部材６０の硬度は、ビードフィラ５０の硬度及びゴムチェーファ７０の硬度よりも低い。これにより、軟質ゴム部材６０が緩衝材となって、歪みによって発生した応力がカーカス層２０に集中することを緩和できる。その結果、ピンチカットの発生を抑制することができる。
【００４５】
加えて、カーカス外側端４５ａに働く応力の集中を緩和することができるため、カーカス外側端４５ａを起点とした剥離を抑制することができる。
【００４６】
本実施形態によれば、タイヤ径方向ｔｒｄにおいて、ビードフィラ外側端５５ａ及びカーカス外側端４５ａは、リムフランジ頂点２１５よりも、内側に位置する。これにより、タイヤ１に使用される部材の量を減らすことができる。このため、タイヤ１の重量を減少でき、省資源化を図ることができる。
【００４７】
なお、タイヤ径方向ｔｒｄにおいて、ビードフィラ外側端５５ａ及びカーカス外側端４５ａは、リムフランジ頂点２１５よりも、内側に位置することにより、乗り心地性も向上する。
【００４８】
本実施形態において、軟質ゴム部材６０の１００％モジュラスは、ゴムチェーファ７０の１００％モジュラスの１／３以下であることが好ましい。これにより、カーカス外側端４５ａに働く応力の集中をさらに緩和することができる。
【００４９】
本実施形態において、タイヤ径方向ｔｒｄにおいて、軟質ゴム外側端６５ａは、リムフランジ頂点２１５よりも、内側に位置することが好ましい。また、タイヤ径方向ｔｒｄにおいて、軟質ゴム内側端６５ｂは、ビードフィラ外側端５５ａよりも、タイヤ径方向ｔｒｄにおいて外側に位置することが好ましい。これにより、軟質ゴム部材６０を適切な位置に配置することができ、さらに省資源化を図ることができる。
【００５０】
本実施形態において、タイヤ最大幅ＴＷ位置において、サイドウォール部７の厚みは、２．５ｍｍ以下であることが好ましい。サイドウォール部７を構成する部材の重量を減少させることができ、さらに省資源化を図ることができる。
【００５１】
（３）比較評価
本発明に係るタイヤの効果を確かめるために、以下のタイヤを用いて、タイヤ重量、耐ピンチカット性能、耐セパレーション性能を評価した。なお、本発明は、以下の実施例に限定されない。
【００５２】
上記各性能を測定するにあたり、表１に示される実施例及び比較例に係るタイヤを用いた。タイヤサイズは、１７５／７０  Ｒ１４、リムサイズは、１４−５．５Ｊ、内圧は、２１０ｋＰａのものを用いた。
【表１】
2013137340.tif 000003
【００５３】
表１に示される「カーカス外側端の位置（ｍｍ）」は、リムフランジ頂点を基準としたタイヤ径方向におけるカーカス外側端の位置示している。正の値であれば、カーカス外側端は、リムフランジ頂点よりもタイヤ径方向において外側に位置する。負の値であれば、カーカス外側端は、リムフランジ頂点よりもタイヤ径方向において内側に位置する。「ビードフィラ外側端の位置（ｍｍ）」についても同様である。なお、ゴムチェーファ外側端は、リムフランジ頂点を基準として、各タイヤとも、同じ位置にある。
【００５４】
実施例に係るタイヤとして、図１及び図２に示されるタイヤを用いた。実施例に係るタイヤは、軟質ゴム部材が配置されている。ゴムチェーファの１００％モジュラスは、６ＭＰａであり、軟質ゴム部材の１００％モジュラスは、２ＭＰａである。
【００５５】
比較例１に係るタイヤとして、図４に示されるタイヤを用いた。実施例との違いは、表１に示されるように、カーカス外側端及びビードフィラ外側端が、リムフランジ頂点よりもタイヤ径方向において外側に位置していることである。また、比較例１に係るタイヤは、軟質ゴム部材が配置されていない。
【００５６】
比較例２に係るタイヤとして、図５に示されるタイヤを用いた。実施例との違いは、比較例２に係るタイヤは、軟質ゴム部材が配置されていないことである。
【００５７】
各タイヤを用いて、タイヤ質量、耐ピンチカット性能、耐セパレーション性能、及び、乗り心地性能を測定した。各性能について、比較例１を基準として、その他のタイヤの性能を指数表示した。数値が大きいほど、各性能が大きい。すなわち、タイヤ質量の数値が大きいほど、質量が大きい。耐ピンチカット性能の数値が大きいほど、耐ピンチカット性能が良い。その他の性能も同様である。
【００５８】
表１に示されるように、実施例では、タイヤの質量が減少するとともに、耐ピンチカット性能を維持している。さらに、耐セパレーション性能は、比較例２に比べて、大幅に向上している。また、乗り心地性能は、比較例１に比べて向上している。
【００５９】
以上より、本発明によれば、省資源化を図るとともに、ピンチカット及びカーカス層の端部を起点とした剥離を抑制できることが確認できた。
【００６０】
（４）その他実施形態
本発明の実施形態を通じて本発明の内容を開示したが、この開示の一部をなす論述及び図面は、本発明を限定するものであると理解すべきではない。本発明はここでは記載していない様々な実施形態を含む。
【００６１】
例えば、本発明に係るタイヤは、空気入りタイヤであっても良いし、ゴムが充填されたタイヤであっても良い。また、アルゴン等の希ガスが入れられた空気以外の気体入りタイヤであっても良い。
【００６２】
上述の通り、本発明はここでは記載していない様々な実施形態を含む。従って、本発明の技術的範囲は上記の説明から妥当な請求の範囲に係る発明特定事項によってのみ定められるものである。
【００６３】
なお、日本国特許出願第２０１２−０５６９６４号（２０１２年３月１４日出願）の全内容が、参照により、本願明細書に組み込まれている。
【産業上の利用可能性】
【００６４】
本発明によれば、省資源化を図るとともに、ピンチカット及びカーカス層の端部を起点とした剥離を抑制するタイヤを提供することができる。
【図１】
2013137340.tif 000004
【図２】
2013137340.tif 000005
【図３】
2013137340.tif 000006
【図４】
2013137340.tif 000007
【図５】
2013137340.tif 000008
【国際調査報告】
2013137340.tif 000009
2013137340.tif 000010
2013137340.tif 000011
2013137340.tif 000012